(57)【要約】【課題】従来装置の無駄なコストを削減し、且つ、遊技板への着脱（交換）作業が容易なパチンコ機用表示装置Ｄを提供する。【解決手段】パチンコ機用表示装置Ｄは、パチンコ機の遊技板面に取り付けられ、数字や図形等を変動表示するものである。本発明のパチンコ機用表示装置Ｄは、表示機能部１と装飾カバー部２とに分割して形成すると共に、該表示機能部１と装飾カバー部２に夫々位置決めガイド部８，２７を形成し、装飾カバー部２を遊技板の表面に固着すると共に、表示機能部１を前記装飾カバー部２の位置決めガイド部２７に自己の位置決めガイド部８を嵌合させて遊技板の裏面に固着するようにしたことを特徴とする。【選択図】        図１
2006150119.tif 000002
【特許請求の範囲】
【請求項１】
パチンコ機の遊技板面に取り付けられ、数字や図形等を変動表示するパチンコ機用表示装置において、
該パチンコ機用表示装置を表示機能部と装飾カバー部とに分割して形成すると共に、その表示機能部と装飾カバー部に夫々位置決めガイド部を形成し、
装飾カバー部を遊技板の表面に固着すると共に、表示機能部を前記装飾カバー部の位置決めガイド部に自己の位置決めガイド部を嵌合させて遊技板の裏面に固着するようにしたパチンコ機用表示装置。
【発明の詳細な説明】
【技術分野】
【０００１】
本発明は、数字や図形等を変動表示するためにパチンコ機の遊技板に取り付けられるパチンコ機用表示装置に関する。
【背景技術】
【０００２】
パチンコ機用表示装置Ｄは、例えば図６に示すようなデジタル式のパチンコ機Ｐに使用されるもので、始動入賞口Ｓ，Ｓへの入賞を受けて数字等の表示が変動を開始し、所定時間の経過か又は停止ボタンの入力によって前記変動が停止するよう設定されている。パチンコ機Ｐは、パチンコ機用表示装置Ｄの停止時の表示が所定の組合せである場合に大当たり状態となって、下側の入賞装置Ａを所定の条件で作動させる。
而して、従来のパチンコ機用表示装置Ｄは、取付基盤を主とする装飾カバー部と、セグメント表示器やドットマトリックスディスプレイを収納するケース体とが一体成形されており、該ケース体内にセグメント表示器等をビス止めして内蔵し、前記取付基盤を遊技板Ｂにビス止めしてパチンコ機Ｐに取り付けるものであった。
【発明の開示】
【発明が解決しようとする課題】
【０００３】
パチンコ機用表示装置Ｄは、パチンコ機のモデルチェンジに合わせてデザインが変更される。しかし、表示機能自体は何等変わらないため、パチンコ機用表示装置Ｄのデザイン変更と言っても装飾カバー部のデザインのみを変えるケースが殆どである。
ところが、上記のようにパチンコ機用表示装置Ｄは、装飾カバー部と表示機能部が一体になっていたため、本来変更の必要のない表示機能部をも含めて設計・加工しなければならないから無駄なコストが掛かり、しかも、金型の形状が複雑になるから金型代が高くつき、型抜きが面倒であるため作業性も悪い等、多くの問題点があった。
また、これまでのパチンコ機用表示装置Ｄは、全体が１個の部品として取り扱われるものであったため、故障時にパチンコ機Ｐから取り外すために、先ず遊技板の裏側にある機構板を開いてパチンコ機用表示装置Ｄから接続ケーブルを外し、次にパチンコ機のガラス扉枠Ｇを開いて取付基盤のビスを外し、その状態でパチンコ機用表示装置Ｄ全体をそっくり遊技板Ｂから抜き取り、また、修理後か或いは別の正常なパチンコ機用表示装置Ｄを取り付ける場合にも逆の工程が必要であって、パチンコ機用表示装置Ｄの着脱（交換）作業が極めて面倒で時間が掛かる問題点もあった。
【課題を解決するための手段】
【０００４】
上記の問題点を解消するため本発明は、
パチンコ機の遊技板面に取り付けられ、数字や図形等を変動表示するパチンコ機用表示装置において、
該パチンコ機用表示装置を表示機能部と装飾カバー部とに分割して形成すると共に、その表示機能部と装飾カバー部に夫々位置決めガイド部を形成し、
装飾カバー部を遊技板の表面に固着すると共に、表示機能部を前記装飾カバー部の位置決めガイド部に自己の位置決めガイド部を嵌合させて遊技板の裏面に固着するようにしたパチンコ機用表示装置を提供するものである。
【０００５】
［作用］
装飾カバー部と表示機能部が別体であるため、パチンコ機用表示装置のデザインを変更する場合に、装飾カバー部のみの変更で対応できる。また、装飾カバー部の形状がシンプルになるから、その分金型代が安くなると共に、型抜きが容易になって作業性も向上する。一方、表示機能部は変更なくそのまま製造できるため、量産によるコストダウンが可能であり、総合的にパチンコ機用表示装置のコストを下げることができる。
また、パチンコ機用表示装置が故障しても、遊技板の裏側から表示機能部のみを簡単に交換することができるため、迅速にパチンコ機を再稼働させることができ、パチンコ機用表示装置の故障に起因する損害が最小限で済む。
【発明の効果】
【０００６】
パチンコ機用表示装置Ｄを装飾カバー部２と表示機能部１とに分割して形成したため、パチンコ機用表示装置Ｄのデザインを変更する場合に、表示機能部１は変更なくそのまま製造し、装飾カバー部２のみについて設計・加工すれば良いから、従来技術のような無駄なコストが掛からない。
また、装飾カバー部２の形状がシンプルになるから、その分金型代が安くなると共に、型抜きが容易になって作業性も向上する。一方、表示機能部１は設計変更の必要がないため、量産によるコストダウンが可能であり、総合的にパチンコ機用表示装置Ｄのコストが下がる。
また、パチンコ機用表示装置Ｄが故障しても、遊技板の裏側から表示機能部１のみを簡単に交換することができるため、迅速にパチンコ機を再稼働させることができ、パチンコ機用表示装置の故障に起因する損害を最小限で済ませ得る効果をも発揮する。
【発明を実施するための最良の形態】
【０００７】
以下に本発明の実施例を図面を参照しつつ説明する。なお、図１は装飾カバー部と表示機能部を分離して示すパチンコ機用表示装置の斜視図、図２はパチンコ機用表示装置の斜視図、図３は一部を切り欠いて示すパチンコ機用表示装置の側面図、図４は表示機能部の斜視図、図５は表示機能部の分解斜視図、図６はパチンコ機の正面図である。
パチンコ機用表示装置Ｄは、図１に示すように、表示機能部１と装飾カバー部２の独立した２つの部品により構成されている。
【０００８】
表示機能部１は、図５に示すように、後面が開放された箱型のケース体３と、該ケース体３の前面板３ｆに開設されている四角い窓開口３ｗを塞ぐ断面蒲鉾形状のレンズ板４と、ドットマトリックスディスプレー５と一体の表示制御基板６と、前記ケース体３の後面を塞ぐ蓋板７とからなる。
前記ケース体３は、上面板３ｒの前方両角部に筒状の位置決めガイド部８を有すると共に、前面板３ｆの両側に取付片９が延設されている。ケース体３の上面板３ｒは、中心位置に設けた開口１０で分断された形態であり、この開口１０がリード線等の通過領域となる。また、ケース体３の前面板３ｆの内側には、前記表示制御基板６を取り付けるネジ筒１１が窓開口３ｗのコーナー部分に突設されている。
前記レンズ板４は、有色透明な合成樹脂製であり、各コーナー部分から突設した突片４ａが前記ネジ筒１１に当たってケース体３内に位置決めされる。
前記表示制御基板６は、２枚のプリント基板６ｆ，６ｒを一体に連結した構成であり、前側のプリント基板６ｆにドットマトリックスディスプレー５が接続固定されている。一方、後側のプリント基板６ｒには、ディスプレイドライブ用の半導体素子１３を介して放熱フィン１４が固着されると共に、両側方にケーブル接続用のコネクター１５ａ，１５ｂが固着されている。なお、本実施例は、細長い放熱フィン１４を一個だけ使用し、真っ直ぐ横一線に並べた複数個の半導体素子１３，１３…を恰も橋桁にするような形態で該放熱フィン１４を取り付けたが、このような構成を採用すれば、個々の半導体素子１３，１３…に個別に放熱フィンを設ける場合に比べて、放熱フィン１４の取り付け作業が簡単且つ迅速に行えると共に放熱フィン１４を大きくすることができるため高い冷却効果を得ることができる、等の効果がある。
前記蓋板７は、ケース体３の後面に合致する形状の合成樹脂板であり、前記ケース体３の上面板３ｒの開口１０に対応する凹欠部１６と、放熱フィン１４を通す放熱用開口１７及びコネクター１５ａ，１５ｂを通すコネクター用開口１８が設けられ、ケース体３の後面にビス止めされる。
【０００９】
一方、装飾カバー部２は、図１〜図３に示すように、遊技板Ｂに固着するための取付基盤１９を中心として、その前面に、通常の入賞口２０と、図６の始動入賞口Ｓへの入賞記憶個数を表示するＬＥＤ２１や、大当たり状態において入賞装置Ａへの入賞個数や作動回数等を表示するセグメント表示器２２，２３等を有する。取付基盤１９の裏面には、遊技板Ｂの板厚に相当する奥行きの周枠２４が突設されており、その周枠２４の上半分に適宜な装飾装置（図示せず）を収納するボックス２５が形成されている。なお、該ボックス２５の後方には、コネクター１５ｃ，１５ｄ，１５ｅ取付用の基板２６が固着されている。前記周枠２４の下半分は、表示機能部１のセット領域であり、表示機能部１の窓開口３ｗに合致する窓孔２４ｗが開設されている。また、取付基盤１９の裏面には、表示機能部１の位置決めガイド部８に嵌まり得るピン形状の位置決めガイド部２７が突設されている。なお、この位置決めガイド部２７は、表示機能部１の位置決めガイド部８に挿入し易くするために先端が円錐台形状になっている。
【００１０】
次に、パチンコ機用表示装置Ｄの遊技板Ｂへの着脱方法について説明する。
先ず、遊技板Ｂに取り付けるに際して、装飾カバー部２と表示機能部１を図１のように分離させておく。そして、装飾カバー部２を遊技板Ｂの表側から該遊技板Ｂに穿設した取付穴Ｈに挿通し（図３参照）、取付基盤１９を遊技板Ｂにビス止めする。
次に、遊技板Ｂの裏側から、位置決めガイド部２７を装飾カバー部２の位置決めガイド部８に嵌めながら表示機能部１をスライドさせ、該表示機能部１の前面板３ｆを装飾カバー部２の周枠２４に密着させる。この状態で表示機能部１の取付片９にビスを通して遊技板Ｂの裏面に固着する。これにより装飾カバー部２と表示機能部１が遊技板Ｂを介して結合される。なお、装飾カバー部２と表示機能部１は、コネクター１５ａ，１５ｃを介してケーブル（図示せず）で電気的に接続される。
なお、パチンコ機用表示装置Ｄの表示機能部１が故障した場合は、遊技板Ｂの裏側から取付片９のビスを外し、位置決めガイド部８，２７に沿って表示機能部１を真っ直ぐ後方にスライドさせれば簡単に取り外すことができる。
【００１１】
以上本発明の実施例について説明したが、もちろん本発明は上記実施例に限定されるものではない。
例えば、上記実施例では、表示機能部１を遊技板Ｂの裏面にビス止めするように構成したが、図７に示すように、装飾カバー部２の位置決めガイド部２７の先端に弾力性のある鍵片２８を形成し、該鍵片２８を表示機能部１の位置決めガイド部８に係合させるようにしてもよい。この場合には、上記実施例よりさらに表示機能部１の着脱が短時間で行える。
また、実施例は、装飾カバー部２の位置決めガイド部２７をピン形状に、表示機能部１の位置決めガイド部８を筒形状にしたが、両位置決めガイド部８，２７の形状はその逆であってもよく、互いに嵌まり合うものならどのような形状であってもよい。
【図面の簡単な説明】
【００１２】
【図１】装飾カバー部と表示機能部を分離して示すパチンコ機用表示装置の斜視図である。
【図２】パチンコ機用表示装置の斜視図である。
【図３】一部を切り欠いて示すパチンコ機用表示装置の側面図である。
【図４】表示機能部の斜視図である。
【図５】表示機能部の分解斜視図である。
【図６】パチンコ機の正面図である。
【図７】他の実施例を示す要部の断面図である。
【符号の説明】
【００１３】
１  …表示機能部
２  …装飾カバー部
８  …表示機能部の位置決めガイド部
２７…装飾カバー部の位置決めガイド部
Ｐ  …パチンコ機
Ｄ  …パチンコ機用表示装置
Ｂ  …遊技板
【図１】
2006150119.tif 000003
【図２】
2006150119.tif 000004
【図３】
2006150119.tif 000005
【図４】
2006150119.tif 000006
【図５】
2006150119.tif 000007
【図６】
2006150119.tif 000008
【図７】
2006150119.tif 000009
【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
数字や図形等を変動表示するパチンコ機用表示装置を取り付けたパチンコ機において、
前記パチンコ機用表示装置を、複数枚のプリント基板をケース体内に内蔵してなるユニットとした表示機能部と、電気部品を有する装飾カバー部とに分割して形成すると共に、前記装飾カバー部を遊技板の表面に固着し、一方、前記表示機能部を遊技板の裏面から取り付けるようになし、
前記表示機能部のケース体にコネクター用開口を設けると共に、電気信号を伝達するケーブルを取り付けるための表示機能部用コネクターを前記コネクター用開口から突出させ、
前記装飾カバー部の裏面側に遊技板の裏面よりも裏面側に突出する突出部を設けると共に、電気信号を伝達するケーブルを取り付けるための装飾カバー部用コネクターを設けた基板を前記突出部に配設し、
前記表示機能部用コネクターと装飾カバー部用コネクターを共に遊技板の裏面側に突出させるようになし、
さらに前記パチンコ機用表示装置において、前記遊技板の表面に固着された前記装飾カバー部でのみ形成されたパチンコ球の入り口及び通路を設けたことを特徴とするパチンコ機。
【手続補正２】
【補正対象書類名】明細書
【補正対象項目名】全文
【補正方法】変更
【補正の内容】
【発明の詳細な説明】
【技術分野】
【０００１】
本発明は、数字や図形等を変動表示するパチンコ機用表示装置を備えたパチンコ機に関する。
【背景技術】
【０００２】
パチンコ機用表示装置Ｄは、例えば図６に示すようなデジタル式のパチンコ機Ｐに使用されるもので、始動入賞口Ｓ，Ｓへの入賞を受けて数字等の表示が変動を開始し、所定時間の経過か又は停止ボタンの入力によって前記変動が停止するよう設定されている。パチンコ機Ｐは、パチンコ機用表示装置Ｄの停止時の表示が所定の組合せである場合に大当たり状態となって、下側の入賞装置Ａを所定の条件で作動させる。
而して、従来のパチンコ機用表示装置Ｄは、取付基盤を主とする装飾カバー部と、セグメント表示器やドットマトリックスディスプレイを収納するケース体とが一体成形されており、該ケース体内にセグメント表示器等をビス止めして内蔵し、前記取付基盤を遊技板Ｂにビス止めしてパチンコ機Ｐに取り付けるものであった。
【発明の開示】
【発明が解決しようとする課題】
【０００３】
パチンコ機用表示装置Ｄは、パチンコ機のモデルチェンジに合わせてデザインが変更される。しかし、表示機能自体は何等変わらないため、パチンコ機用表示装置Ｄのデザイン変更と言っても装飾カバー部のデザインのみを変えるケースが殆どである。
ところが、上記のようにパチンコ機用表示装置Ｄは、装飾カバー部と表示機能部が一体になっていたため、本来変更の必要のない表示機能部をも含めて設計・加工しなければならないから無駄なコストが掛かり、しかも、金型の形状が複雑になるから金型代が高くつき、型抜きが面倒であるため作業性も悪い等、多くの問題点があった。
また、これまでのパチンコ機用表示装置Ｄは、全体が１個の部品として取り扱われるものであったため、故障時にパチンコ機Ｐから取り外すために、先ず遊技板の裏側にある機構板を開いてパチンコ機用表示装置Ｄから接続ケーブルを外し、次にパチンコ機のガラス扉枠Ｇを開いて取付基盤のビスを外し、その状態でパチンコ機用表示装置Ｄ全体をそっくり遊技板Ｂから抜き取り、また、修理後か或いは別の正常なパチンコ機用表示装置Ｄを取り付ける場合にも逆の工程が必要であって、パチンコ機用表示装置Ｄの着脱（交換）作業が極めて面倒で時間が掛かる問題点もあった。
【課題を解決するための手段】
【０００４】
数字や図形等を変動表示するパチンコ機用表示装置を取り付けたパチンコ機において、前記パチンコ機用表示装置を、複数枚のプリント基板をケース体内に内蔵してなるユニットとした表示機能部と、電気部品を有する装飾カバー部とに分割して形成すると共に、前記装飾カバー部を遊技板の表面に固着し、一方、前記表示機能部を遊技板の裏面から取り付けるようになし、前記表示機能部のケース体にコネクター用開口を設けると共に、電気信号を伝達するケーブルを取り付けるための表示機能部用コネクターを前記コネクター用開口から突出させ、前記装飾カバー部の裏面側に遊技板の裏面よりも裏面側に突出する突出部を設けると共に、電気信号を伝達するケーブルを取り付けるための装飾カバー部用コネクターを設けた基板を前記突出部に配設し、前記表示機能部用コネクターと装飾カバー部用コネクターを共に遊技板の裏面側に突出させるようになし、さらに前記パチンコ機用表示装置において、前記遊技板の表面に固着された前記装飾カバー部でのみ形成されたパチンコ球の入り口及び通路を設けたパチンコ機を提供する。
【０００５】
［作用］
装飾カバー部と表示機能部が別体であるため、パチンコ機用表示装置のデザインを変更する場合に、装飾カバー部のみの変更で対応できる。また、装飾カバー部の形状がシンプルになるから、その分金型代が安くなると共に、型抜きが容易になって作業性も向上する。一方、表示機能部は変更なくそのまま製造できるため、量産によるコストダウンが可能であり、総合的にパチンコ機用表示装置のコストを下げることができる。
また、パチンコ機用表示装置が故障しても、遊技板の裏側から表示機能部のみを簡単に交換することができるため、迅速にパチンコ機を再稼働させることができ、パチンコ機用表示装置の故障に起因する損害が最小限で済む。
【発明の効果】
【０００６】
パチンコ機用表示装置Ｄを装飾カバー部２と表示機能部１とに分割して形成したため、パチンコ機用表示装置Ｄのデザインを変更する場合に、表示機能部１は変更なくそのまま製造し、装飾カバー部２のみについて設計・加工すれば良いから、従来技術のような無駄なコストが掛からない。
また、装飾カバー部２の形状がシンプルになるから、その分金型代が安くなると共に、型抜きが容易になって作業性も向上する。一方、表示機能部１は設計変更の必要がないため、量産によるコストダウンが可能であり、総合的にパチンコ機用表示装置Ｄのコストが下がる。
また、パチンコ機用表示装置Ｄが故障しても、遊技板の裏側から表示機能部１のみを簡単に交換することができるため、迅速にパチンコ機を再稼働させることができ、パチンコ機用表示装置の故障に起因する損害を最小限で済ませ得る効果をも発揮する。
【発明を実施するための最良の形態】
【０００７】
以下に本発明の実施例を図面を参照しつつ説明する。なお、図１は装飾カバー部と表示機能部を分離して示すパチンコ機用表示装置の斜視図、図２はパチンコ機用表示装置の斜視図、図３は一部を切り欠いて示すパチンコ機用表示装置の側面図、図４は表示機能部の斜視図、図５は表示機能部の分解斜視図、図６はパチンコ機の正面図である。
パチンコ機用表示装置Ｄは、図１に示すように、表示機能部１と装飾カバー部２の独立した２つの部品により構成されている。
【０００８】
表示機能部１は、図５に示すように、後面が開放された箱型のケース体３と、該ケース体３の前面板３ｆに開設されている四角い窓開口３ｗを塞ぐ断面蒲鉾形状のレンズ板４と、ドットマトリックスディスプレー５と一体の表示制御基板６と、前記ケース体３の後面を塞ぐ蓋板７とからなる。
前記ケース体３は、上面板３ｒの前方両角部に筒状の位置決めガイド部８を有すると共に、前面板３ｆの両側に取付片９が延設されている。ケース体３の上面板３ｒは、中心位置に設けた開口１０で分断された形態であり、この開口１０がリード線等の通過領域となる。また、ケース体３の前面板３ｆの内側には、前記表示制御基板６を取り付けるネジ筒１１が窓開口３ｗのコーナー部分に突設されている。
前記レンズ板４は、有色透明な合成樹脂製であり、各コーナー部分から突設した突片４ａが前記ネジ筒１１に当たってケース体３内に位置決めされる。
前記表示制御基板６は、２枚のプリント基板６ｆ，６ｒを一体に連結した構成であり、前側のプリント基板６ｆにドットマトリックスディスプレー５が接続固定されている。一方、後側のプリント基板６ｒには、ディスプレイドライブ用の半導体素子１３を介して放熱フィン１４が固着されると共に、両側方にケーブル接続用の表示機能部用コネクター１５ａ，１５ｂが固着されている。なお、本実施例は、細長い放熱フィン１４を一個だけ使用し、真っ直ぐ横一線に並べた複数個の半導体素子１３，１３…を恰も橋桁にするような形態で該放熱フィン１４を取り付けたが、このような構成を採用すれば、個々の半導体素子１３，１３…に個別に放熱フィンを設ける場合に比べて、放熱フィン１４の取り付け作業が簡単且つ迅速に行えると共に放熱フィン１４を大きくすることができるため高い冷却効果を得ることができる、等の効果がある。
前記蓋板７は、ケース体３の後面に合致する形状の合成樹脂板であり、前記ケース体３の上面板３ｒの開口１０に対応する凹欠部１６と、放熱フィン１４を通す放熱用開口１７及びコネクター１５ａ，１５ｂを通すコネクター用開口１８が設けられ、ケース体３の後面にビス止めされる。
【０００９】
一方、装飾カバー部２は、図１〜図３に示すように、遊技板Ｂに固着するための取付基盤１９を中心として、その前面に、通常の入賞口２０と、図６の始動入賞口Ｓへの入賞記憶個数を表示するＬＥＤ２１や、大当たり状態において入賞装置Ａへの入賞個数や作動回数等を表示するセグメント表示器２２，２３等を有する。取付基盤１９の裏面には、遊技板Ｂの板厚に相当する奥行きの周枠２４が突設されており、その周枠２４の上半分に適宜な装飾装置（図示せず）を収納するボックス２５が形成されている。なお、該ボックス２５の後方には、装飾カバー部用コネクター１５ｃ，１５ｄ，１５ｅ取付用の基板２６が固着されている。前記周枠２４の下半分は、表示機能部１のセット領域であり、表示機能部１の窓開口３ｗに合致する窓孔２４ｗが開設されている。また、取付基盤１９の裏面には、表示機能部１の位置決めガイド部８に嵌まり得るピン形状の位置決めガイド部２７が突設されている。なお、この位置決めガイド部２７は、表示機能部１の位置決めガイド部８に挿入し易くするために先端が円錐台形状になっている。
【００１０】
次に、パチンコ機用表示装置Ｄの遊技板Ｂへの着脱方法について説明する。
先ず、遊技板Ｂに取り付けるに際して、装飾カバー部２と表示機能部１を図１のように分離させておく。そして、装飾カバー部２を遊技板Ｂの表側から該遊技板Ｂに穿設した取付穴Ｈに挿通し（図３参照）、取付基盤１９を遊技板Ｂにビス止めする。
次に、遊技板Ｂの裏側から、位置決めガイド部２７を装飾カバー部２の位置決めガイド部８に嵌めながら表示機能部１をスライドさせ、該表示機能部１の前面板３ｆを装飾カバー部２の周枠２４に密着させる。この状態で表示機能部１の取付片９にビスを通して遊技板Ｂの裏面に固着する。これにより装飾カバー部２と表示機能部１が遊技板Ｂを介して結合される。なお、装飾カバー部２と表示機能部１は、コネクター１５ａ，１５ｃを介してケーブル（図示せず）で電気的に接続される。
なお、パチンコ機用表示装置Ｄの表示機能部１が故障した場合は、遊技板Ｂの裏側から取付片９のビスを外し、位置決めガイド部８，２７に沿って表示機能部１を真っ直ぐ後方にスライドさせれば簡単に取り外すことができる。
【００１１】
以上本発明の実施例について説明したが、もちろん本発明は上記実施例に限定されるものではない。
例えば、上記実施例では、表示機能部１を遊技板Ｂの裏面にビス止めするように構成したが、図７に示すように、装飾カバー部２の位置決めガイド部２７の先端に弾力性のある鍵片２８を形成し、該鍵片２８を表示機能部１の位置決めガイド部８に係合させるようにしてもよい。この場合には、上記実施例よりさらに表示機能部１の着脱が短時間で行える。
また、実施例は、装飾カバー部２の位置決めガイド部２７をピン形状に、表示機能部１の位置決めガイド部８を筒形状にしたが、両位置決めガイド部８，２７の形状はその逆であってもよく、互いに嵌まり合うものならどのような形状であってもよい。
【図面の簡単な説明】
【００１２】
【図１】装飾カバー部と表示機能部を分離して示すパチンコ機用表示装置の斜視図である。
【図２】パチンコ機用表示装置の斜視図である。
【図３】一部を切り欠いて示すパチンコ機用表示装置の側面図である。
【図４】表示機能部の斜視図である。
【図５】表示機能部の分解斜視図である。
【図６】パチンコ機の正面図である。
【図７】他の実施例を示す要部の断面図である。
【符号の説明】
【００１３】
１  …表示機能部
２  …装飾カバー部
３  …ケース体
６ｆ，６ｒ  …プリント基板
１５ａ，１５ｂ  …表示機能部用コネクター
１５ｃ，１５ｄ，１５ｅ  …装飾カバー部用コネクター
１８  …コネクター用開口
２６  …基板
Ｐ  …パチンコ機
Ｄ  …パチンコ機用表示装置
Ｂ  …遊技板